(57)【要約】【課題】パネルの固定装置および設置方法において作業性を向上させることである。【解決手段】パネルＰの一対の縁Ｐｅに縁材Ｇを装着すると共に、縁材Ｇを長尺材４に装着する工程と、一対の挟みパーツ１をレール状の取付部Ｈに組み付ける工程と、挟みパーツ１に一対の係合パーツ２を挿入する工程と、長尺材４を挟みパーツ１に摺動させて装着する工程と、係合ピン３を係合孔２０および貫通孔１０を貫通させて挿入し、係合ピン３を係合孔２０に係合させることで、一対の係合パーツ２により挟みパーツ１が第２の方向Ｄに離れないように固定する工程とを備える。【選択図】図３
2014118733.tif 000002
【特許請求の範囲】
【請求項１】
パネルＰの互いに向かい合う一対の縁Ｐｅに沿って第１の方向Ｄ１に延び当該縁Ｐｅに固定されるゴム製の縁材Ｇと、
前記縁材Ｇに沿って延び前記縁材Ｇを保持する長尺材４と、
前記第１の方向Ｄ１に延びるレール状の取付部Ｈに取り付けられ、前記第１の方向Ｄ１に直交する第２の方向Ｄ２に２分割され、前記取付部Ｈを前記第２の方向Ｄ２に挟んで前記取付部Ｈに取り付けられると共に前記長尺材４が前記第１の方向Ｄ１に沿って移動可能な状態で装着される一対の挟みパーツ１と、
前記第２の方向Ｄ２から前記挟みパーツ１内に挿入されて前記第１の方向Ｄ１に互いに対面した状態で接した接面２Ｆを有し、前記挟みパーツ１同士を前記第２の方向Ｄ２に固定させるための一対の係合パーツ２と、
前記一対の挟みパーツ１に形成され前記パネルＰの法面に直交する法線方向Ｚに貫通する貫通孔１０と、
前記一対の係合パーツ２に前記接面２Ｆの一部を切り欠いて形成され、前記法線方向Ｚに貫通する係合孔２０と、
前記法線方向Ｚから前記係合孔２０および貫通孔１０に挿入されて貫通し、前記係合孔２０に対し前記第２の方向Ｄ２に係合して、前記一対の挟みパーツ１が互いに分離しないように固定する係合ピン３とを備えるパネルの固定装置。
【請求項２】
請求項１において、
前記挟みパーツ１および係合パーツ２は前記第１の方向Ｄ１に間欠的に複数組配置され前記挟みパーツ１および／または係合パーツ２には、前記長尺材４に対し前記法線方向Ｚに係合し、かつ、前記長尺材４が前記第１の方向Ｄ１にスライドして挿入されるのを許容するレール部Ｒが形成されている。
【請求項３】
請求項１もしくは２の固定装置において、前記長尺材４の側面には前記第１の方向Ｄ１に沿って延びる溝４Ｇが形成され、
前記係合ピン３は前記溝４Ｇに係合する第１係合部３１と、前記挟みパーツ１の外面１１に係合する第２係合部３２とを有し、前記第１および第２係合部３１，３２の間に前記挟みパーツ１および長尺材４を挟んで前記長尺材４を前記挟みパーツ１に対して固定する。
【請求項４】
請求項１〜３のいずれか１項の固定装置において、前記挟みパーツ１には前記係合パーツ２が前記第２の方向Ｄ２に挿入されると共に嵌合する嵌合孔１２が形成されている。
【請求項５】
請求項１〜４のいずれか１項の固定装置において、前記係合パーツ２における前記係合孔２０を定義する部位が、プラスチック層２Ｐと金属層２Ｍとが積層された素材で形成されている。
【請求項６】
請求項１〜５のいずれか１項の固定装置において、前記ゴム製の縁材Ｇは、前記パネルＰの縁Ｐｅが装着される第１装着溝Ｇ１と、ジッパーＧ３を装着するための第２装着溝Ｇ２とを備えたジッパーガスケットＧで形成されている。
【請求項７】
請求項１〜６のいずれか１項の固定装置を用いたパネルＰの設置方法であって、
前記パネルＰの一対の縁Ｐｅに前記縁材Ｇを装着すると共に、前記縁材Ｇを長尺材４に装着する工程と、
前記一対の挟みパーツ１を前記レール状の取付部Ｈに組み付ける工程と、
前記挟みパーツ１に前記一対の係合パーツ２を挿入する工程と、
前記長尺材４を前記挟みパーツ１に摺動させて装着する工程と、
前記係合ピン３を前記係合孔２０および前記貫通孔１０を貫通させて挿入し、前記係合ピン３を前記係合孔２０に係合させることで、前記一対の係合パーツ２により前記挟みパーツ１が前記第２の方向Ｄに離れないように固定する工程とを備える。
【発明の詳細な説明】
【技術分野】
【０００１】
本発明はソーラパネルや緑化パネルなど種々のパネルを建築物や構造物あるいは空地に設置するためのパネルの固定装置および設置方法に関する。
【背景技術】
【０００２】
たとえば、ソーラパネルを屋根に設置する場合、いわゆるハゼと呼ばれるレール状の屋根材に多数の金具を固定し、この金具を介してソーラパネルを取り付けることが提案されている。
【先行技術文献】
【特許文献】
【０００３】
【特許文献１】ＪＰ２０１１−１４０８６１Ａ（要約）
【発明の開示】
【０００４】
しかし、前記先行技術では金具を屋根材に取り付ける際に、ボルトによる締結を行う必要がある。そのため、足場の不安定な屋根上での作業性が低い。
【０００５】
したがって、本発明の目的はパネルの固定装置および設置方法において作業性を向上させることである。
【０００６】
本発明の固定装置は、パネルＰの互いに向かい合う一対の縁Ｐｅに沿って第１の方向Ｄ１に延び当該縁Ｐｅに固定されるゴム製の縁材Ｇと、
前記縁材Ｇに沿って延び前記縁材Ｇを保持する長尺材４と、
前記第１の方向Ｄ１に延びるレール状の取付部Ｈに取り付けられ、前記第１の方向Ｄ１に直交する第２の方向Ｄ２に２分割され、前記取付部Ｈを前記第２の方向Ｄ２に挟んで前記取付部Ｈに取り付けられると共に前記長尺材４が前記第１の方向Ｄ１に沿って移動可能な状態で装着される一対の挟みパーツ１と、
前記第２の方向Ｄ２から前記挟みパーツ１内に挿入されて前記第１の方向Ｄ１に互いに対面した状態で接した接面２Ｆを有し、前記挟みパーツ１同士を前記第２の方向Ｄ２に固定させるための一対の係合パーツ２と、
前記一対の挟みパーツ１に形成され前記パネルＰの法面に直交する法線方向Ｚに貫通する貫通孔１０と、
前記一対の係合パーツ２に前記接面２Ｆの一部を切り欠いて形成され、前記法線方向Ｚに貫通する係合孔２０と、
前記法線方向Ｚから前記係合孔２０および貫通孔１０に挿入されて貫通し、前記係合孔２０に対し前記第２の方向Ｄ２に係合して、前記一対の挟みパーツ１が互いに分離しないように固定する係合ピン３とを備える。
【０００７】
本発明の固定装置を用いて、パネルを設置するには、前記パネルＰの一対の縁Ｐｅに前記縁材Ｇを装着すると共に、前記縁材Ｇを長尺材４に装着する工程と、
前記一対の挟みパーツ１を前記レール状の取付部Ｈに組み付ける工程と、
前記挟みパーツ１に前記一対の係合パーツ２を挿入する工程と、
前記長尺材４を前記挟みパーツ１に摺動させて装着する工程と、
前記係合ピン３を前記係合孔２０および前記貫通孔１０を貫通させて挿入し前記係合ピン３を前記係合孔２０に係合させることで、前記一対の係合パーツ２により前記挟みパーツ１が前記第２の方向Ｄに離れないように固定する。
【０００８】
本発明によれば、ボルトの締付を行うことなく固定装置を取付部に取り付けることができる。
なお、本発明において、ゴム製の縁材Ｇおよび長尺材４はパネルＰの一辺の全長にわたって設けられている必要はなく、部分的に設けられていてもよい。また、長尺材４は挟みパーツよりも長い長さを有していればよい。
【図面の簡単な説明】
【０００９】
【図１】本発明の一実施例にかかるパネルの設置状態を示す横断面図である。
【図２】パネルの一部を省略して示すパネルアセンブリの正面図である。
【図３】固定装置の横断面図である。
【図４】図４Ａは挟みパーツのうちの一方のパーツを上面側から見た斜視図、図４Ｂは同一方のパーツを底面側から見た斜視図である。
【図５】一対の挟みパーツを組み立てた状態で示す斜視図である。
【図６】一方の係合パーツを分離して示す挟みパーツおよび係合パーツの組立状態の斜視図である。
【図７】挟みパーツおよび係合パーツの組立状態の斜視図である。
【図８】図８Ａはパネルアセンブリの横断面図、図８Ｂは固定装置の正面図である。
【発明を実施するための形態】
【００１０】
好ましくは、前記挟みパーツ１および係合パーツ２は前記第１の方向Ｄ１に間欠的に複数組配置され前記挟みパーツ１および／または係合パーツ２には、前記長尺材４に対し前記法線方向Ｚに係合し、かつ、前記長尺材４が前記第１の方向Ｄ１にスライドして挿入されるのを許容するレール部Ｒが形成されている。
【００１１】
この場合、ボルトを用いなくても一方又は両方のパーツに対しパネルＰが長尺材４を介して係合した状態を保持できる。
【００１２】
好ましくは、前記長尺材４の側面には前記第１の方向Ｄ１に沿って延びる溝４Ｇが形成され、
前記係合ピン３は前記溝４Ｇに係合する第１係合部３１と、前記挟みパーツ１の外面１１に係合する第２係合部３２とを有し、前記第１および第２係合部３１，３２の間に前記挟みパーツ１および長尺材４を挟んで前記長尺材４を前記挟みパーツ１に対して固定する。
【００１３】
この場合、係合ピン３が挟みパーツと長尺材４とを上下方向に挟み、この挟んだ反力で係合ピン３の姿勢が安定する。
【００１４】
好ましくは、前記挟みパーツ１には前記係合パーツ２が前記第２の方向Ｄ２に挿入されると共に嵌合する嵌合孔１２が形成されている。
【００１５】
この場合、挟みパーツ１に対する係合パーツ２の組立状態が安定して保持され易い。
【００１６】
好ましくは、前記係合パーツ２における前記係合孔２０を定義する部位が、プラスチック層２Ｐと金属層２Ｍとが積層された素材で形成されている。
【００１７】
係合パーツ２の係合孔２０の部位が金属層２Ｍで補強されると共に、係合パーツ２のプラスチック層２Ｐがパーツの軽量化に役立つ。
【００１８】
好ましくは、前記ゴム製の縁材Ｇは、前記パネルＰの縁Ｐｅが装着される第１装着溝Ｇ１と、ジッパーＧ３を装着するための第２装着溝Ｇ２とを備えたジッパーガスケットＧで形成されている。
【００１９】
ジッパーガスケットＧに対しパネルＰを容易に装着することができる。
【実施例】
【００２０】
以下、本発明の一実施例を図面にしたがって説明する。
図１に示すように、たとえば液晶パネルのようなパネルＰは縦横にマトリクス状（行列状）に配置される。
【００２１】
図２に示すように、パネルＰはジッパーガスケットＧを介して長尺材４と一体に組み立てたられたパネルアセンブリＡｐを構成する。図３に示すように、前記パネルアセンブリＡｐがハゼ把み具Ａｒを介して、たとえばハゼＨのようなレール状の取付部に取り付けられる。
【００２２】
なお、前記ハゼＨには、図１の網点で示すようにスペーサＳがパネルアセンブリＡｐとパネルアセンブリＡｐとの間に介挿されて、パネルアセンブリＡｐ間に間隙Ｓｒが設けられてもよい。
【００２３】
図２に示すように、前記ジッパーガスケットＧはゴム製で、パネルＰの互いに向かい合う一対の縁Ｐｅに沿って第１の方向Ｄ１に延び当該縁Ｐｅに固定される。前記ジッパーガスケットＧの本体部Ｇ０は、前記パネルＰの縁Ｐｅが装着される第１装着溝Ｇ１と、ジッパーＧ３を装着するための第２装着溝Ｇ２とを備える。
【００２４】
前記長尺材４は例えば合成樹脂で形成され、前記ジッパーガスケットＧが装着される蟻溝状の装着部４０を備える。前記長尺材４はジッパーガスケットＧに沿って延びジッパーガスケットＧを保持する。
【００２５】
図１に示すように、前記ハゼ把み具Ａｒは１枚のパネルアセンブリＡｐの１つの縁に対し複数個設けられる。前記各ハゼ把み具Ａｒは第１の方向Ｄ１に互いに離間して配置される。
【００２６】
図３のハゼ把み具Ａｒは、図４および図５の一対の挟みパーツ１と、図６の一対の係合パーツ２と図３の係合ピン３とを備える。
【００２７】
前記一対の挟みパーツ１は前記第１の方向Ｄ１（図１）に直交する第２の方向Ｄ２に２分割されており、前記第１の方向Ｄ１（図１）に延びるレール状のハゼＨを前記第２の方向Ｄ２に挟んで前記ハゼＨに取り付けられる。
すなわち、前記一対の挟みパーツ１の各パーツを前記ハゼＨの左右から挟んで前記挟みパーツ１が前記ハゼＨに取り付けられる。
後述するように、前記挟みパーツ１には前記長尺材４が前記第１の方向Ｄ１（図１）に沿って移動可能な状態で装着される。
【００２８】
図４に示すように、前記挟みパーツ１の各パーツの四隅には上方に向って延びる板状部１５が形成されており、前記長尺材４が前記板状部１５に支持される。
【００２９】
一対の挟みパーツ１は、互いに同じ形状・大きさで、一方のパーツの凸部１３（図４）が他方のパーツの図示しない凹部に嵌合することで、図５に示すように、互いに位置決めされる。
すなわち、一対の挟みパーツ１の各パーツには一方のパーツの凸部（凹部）と他方のパーツの凹部（凸部）とが対応するように凸部と凹部とが互い違いに形成されている。
【００３０】
図４Ａおよび図４Ｂに示すように、前記挟みパーツ１の各パーツには、各パーツの側縁から下方に向って延び出ており、かつ、前記第２の方向Ｄ２の内側に向って延びる延出部１４が形成されている。
また、前記挟みパーツ１には前記係合パーツ２が前記第２の方向Ｄ２に挿入されると共に嵌合する嵌合孔１２が形成されている。
一方、図３に示すように、前記ハゼＨは前記第２の方向Ｄ２の外側に向かって延びる突条Ｈｒを有している。
前記挟みパーツ１の底面と前記延出部１４との間の間隙に前記ハゼＨの前記突条Ｈｒが係合することで、前記挟みパーツ１が前記ハゼＨに取り付けられる。
【００３１】
一対の係合パーツ２の各パーツは平面略Ｌ字状の互いに点対称の形状をしている。図６に示すように、前記一対の係合パーツ２は、前記第２の方向Ｄ２から嵌合孔１２を介して前記挟みパーツ１内に挿入されて前記第１の方向Ｄ１に互いに対面した状態で接する接面２Ｆを有し、後述する係合ピン３と協働して前記挟みパーツ１同士を前記第２の方向Ｄ２に固定させる。
【００３２】
前記挟みパーツ１および係合パーツ２のうちの、例えば係合パーツ２には、前記長尺材４に対し前記法線方向Ｚに係合し、かつ、前記長尺材４が前記第１の方向Ｄ１にスライドして挿入されるのを許容するレール部Ｒが形成されている。図６に示すように、前記挟みパーツ１と前記係合パーツ２とで前記長尺材４を支持するレール部Ｒが構成される。
【００３３】
図７に示すように、前記係合パーツ２の各パーツには前記係合パーツ２が前記挟みパーツ１に装着された際に前記挟みパーツ１の前記板状部１５よりも前記第２の方向Ｄ２の内側に向って突出する縁部２Ｅが形成されている。
図３に示すように、前記長尺材４の外側の溝４Ｈに前記縁部２Ｅが嵌合される。
【００３４】
図５に示すように、前記一対の挟みパーツ１には前記パネルＰの法面に直交する法線方向Ｚに貫通する貫通孔１０が形成されている。一方、図７に示すように、前記一対の係合パーツ２には前記接面２Ｆの一部を切り欠いて形成され、前記法線方向Ｚに貫通する係合孔２０が設けられている。
【００３５】
図３に示すように、前記係合ピン３は、前記法線方向Ｚから前記係合孔２０および貫通孔１０に挿入されて貫通し、前記係合孔２０に対し前記第２の方向Ｄ２に係合して、前記一対の挟みパーツ１が互いに分離しないように固定する。
なお、係合ピン３の頭部の形状や構造は特に限定されるものではなく、手で回転できるものでもよく、あるいは、工具が係合する形状であってもよい。
【００３６】
具体的には、図６に示すように、前記第１の方向Ｄ１に２分割されている前記係合パーツ２が前記挟みパーツ１の前記嵌合孔１２を介して前記挟みパーツ１に装着され、前記挟みパーツ１の貫通孔１０と前記係合パーツ２の係合孔２０とに前記係合ピン３が貫通されることで、前記係合パーツ２は前記係合ピン３によって前記第２の方向Ｄ２に対して固定され、かつ、前記挟みパーツ１の嵌合孔１２によって前記第１の方向Ｄ１に対して固定される。
また、前記係合パーツ２を前記挟みパーツ１に装着する際に前記係合パーツ２の内側面２Ｗが前記嵌合孔１２を形成する挟みパーツ１に当接するため、前記係合ピン３によって前記係合パーツ２が前記第２の方向Ｄ２に固定されると前記挟みパーツ１も同様に固定される。
【００３７】
前記長尺材４の側面には前記第１の方向Ｄ１に沿って延びる内側の溝４Ｇが形成されている。
前記係合ピン３は前記溝４Ｇに係合する第１係合部３１と、前記挟みパーツ１の外面１１に係合する第２係合部３２とを有し、前記第１および第２係合部３１，３２の間に前記挟みパーツ１および長尺材４を挟んで前記長尺材４を前記挟みパーツ１に対して固定する。
【００３８】
前記第１係合部３１は平面断面が長方形状で、係合ピン３を９０°回転することで、図３のように、第１係合部３１が前記内側の溝４Ｇに係合する。また、第２係合部３２は図７の係合孔２０および貫通孔１０を挿通した後に係合ピン３を９０°回転することで、図３のように、第２係合部３２が挟みパーツ１の外面１１に係合する。
【００３９】
なお、図３に示すように、前記係合パーツ２における前記係合孔２０を定義する部位は、プラスチック層２Ｐと、網点を施して示す金属層２Ｍとが積層された素材で形成されている。
【００４０】
つぎに本固定装置を用いたパネルＰの設置方法について説明する。
予め、工場において、図２の前記パネルＰの一対の縁Ｐｅに前記ジッパーガスケットＧを装着すると共に、前記ジッパーガスケットＧを長尺材４に装着して、パネルアセンブリＡｐを得る。
【００４１】
一方、前記一対の挟みパーツ１を前記レール状のハゼＨに組み付けた後、前記挟みパーツ１に前記一対の係合パーツ２を挿入して、ハゼＨにハゼ把み具Ａｒを固定する。このハゼ把み具ＡｒはハゼＨに対し縦横に複数個固定される。
【００４２】
この固定後、図８ＡのパネルアセンブリＡｐの前記長尺材４を前記ハゼ把み具Ａｒ（前記挟みパーツ１および前記係合パーツ２）に摺動させて装着する。
【００４３】
その後、図３のように、前記係合ピン３を前記係合孔２０および前記貫通孔１０を貫通させて挿入して前記係合ピン３を９０°回転させて、前記係合ピン３の第１係合部３１を前記長尺材４の内側の溝４Ｇに係合させ、かつ、前記第２係合部３２を前記挟みパーツ１の外面１１に係合させることで、前記一対の係合パーツ２により前記挟みパーツ１が前記第２の方向Ｄに離れないように固定する。
【００４４】
以下、前記長尺材４のハゼ把み具Ａｒへの取付方法の別のパターンを説明する。
まず、前記係合パーツ２を前記挟みパーツ１に装着する際に、前記係合パーツ２の縁部Ｅ２が前記挟みパーツ１の板状部１５よりも内側とならないように設定する。このとき、前記挟みパーツ１に挿入されている前記係合パーツ２の係合孔２０は上半分と下半分とが左右に若干ズレている。
次に、前記長尺材４を前記ハゼ把み具Ａｒに装着した後、図示しない治具を前記係合パーツ２の係合孔２０に挿通して９０°回転させて前記係合パーツ２の各パーツを中央に向って引き寄せて前記係合パーツ２の縁部２Ｅを前記長尺材４の外側の溝４Ｈに係合させる。
この場合、前記長尺材４を前記ハゼ把み具Ａｒの上方から装着することができる。
その後、前記係合ピン３によって、前記ハゼ把み具Ａｒと前記長尺材４とを互いに離れないように固定する。
【産業上の利用可能性】
【００４５】
本発明は、ソーラパネルなどの種々のパネルを屋上、建物の壁面、屋外などの種々の場所に設置するのに利用できる。
【符号の説明】
【００４６】
Ａｐ：パネルアセンブリ
Ａｒ：ハゼ把み具  Ｒ：レール部  Ｃ：把み部
Ｐ：パネル  Ｐｅ：パネルの縁
Ｇ：ジッパーガスケット（縁材の一例）Ｇ０：本体部  Ｇ１：第１装着溝  Ｇ２：第２装着溝  Ｇ３：ジッパー
Ｄ１：第１の方向  Ｄ２：第２の方向  Ｚ：法線方向
Ｈ：ハゼ（レール状の取付部の一例）Ｆ：外枠  Ｈｒ：突条
Ｓ：スペーサ  Ｓａ：間隙
１：挟みパーツ  １０：貫通孔  １１：外面  １２：嵌合孔  １３：凸部  １４：延出部  １５：板状部
２：係合パーツ  ２０：係合孔  ２Ｆ：接面  ２Ｅ：縁部  ２Ｗ：内側面
２Ｐ：プラスチック層  ２Ｍ：金属層
３：係合ピン  ３１：第１係合部  ３２：第２係合部
４：長尺材  ４０：装着部  ４Ｇ：内側の溝  ４Ｈ：外側の溝
【図１】
2014118733.tif 000003
【図２】
2014118733.tif 000004
【図３】
2014118733.tif 000005
【図４】
2014118733.tif 000006
【図５】
2014118733.tif 000007
【図６】
2014118733.tif 000008
【図７】
2014118733.tif 000009
【図８】
2014118733.tif 000010